(57)【特許請求の範囲】
【請求項１】
スピーカを内蔵した浴室機器において、
少なくともスピーカを内蔵するための空間を有する密閉された本体ケースに、通音用の第１穴部を設け、当該第１穴部を耐水性のコーン紙部を備えたスピーカで覆って密閉するとともに、前記本体ケースに第２穴部を設け、当該第２穴部を、その両面にかかる圧力差に応じて自在に変形する弾性変形する膜状部材で密閉し、
前記弾性変形する膜状部材として、前記スピーカのコーン紙部がその両面にかかる圧力差によって変位を生じる圧力差よりも少ない圧力差で変形しかつ通気性のないものを用いる
ことを特徴とする浴室機器。
【請求項２】
前記弾性変形する膜状部材を所定の空間を保って外部から密閉するように覆う保護カバーを前記本体ケースに装着するとともに、前記保護カバーの所定箇所に通気孔を設けた
ことを特徴とする請求項１に記載の浴室機器。
【請求項３】
当該浴室機器は、浴室壁面に取り付けるものであり、
前記第２穴部は前記本体ケースの背面にあり、
少なくとも前記第２穴部を内包するように前記本体ケースの背面から略垂直に立設された環状周壁部であって当該環状周壁部の端部を浴室壁面と密着させて取り付けることによって前記弾性変形する膜状部材と前記浴室壁面との間に密閉空間を形成するものを有し、
前記環状周壁部に通気孔を設けるとともに、当該通気孔を前記環状周壁部の端部と浴室壁面との隙間をシーラントで埋めた際に当該シーラントでふさがることのない距離だけ前記環状周壁部の端部から前記本体ケースの背面側へ離れた位置に設けた
ことを特徴とする請求項１に記載の浴室機器。
【請求項４】
設置状態で下側になる箇所に前記通気孔を設けた
ことを特徴とする請求項２または３に記載の浴室機器。
【請求項５】
前記浴室機器は、風呂釜を遠隔操作するためのリモートコントローラである
ことを特徴とする請求項１〜４の何れかに記載の浴室機器。
【発明の詳細な説明】
【０００１】
【発明の属する技術分野】
本発明は、スピーカを内蔵した浴室機器に関する。
【０００２】
【従来の技術】
従来、風呂給湯器のリモートコントローラは、浴室内部に設置されるので、内部の電気部品等を保護するために、水や水蒸気が侵入しないように本体ケースが水密気密に構成される。
【０００３】
浴室用のリモートコントローラには、その内部に、お知らせブザーや浴室と外部とのインターフォンとしての機能を果たすためのスピーカが内蔵されることがある。この場合、内蔵したスピーカからの音を外部に効率良く伝達するために、リモートコントローラの本体ケースに通音用の穴をあけ、耐水性のコーン紙部を有するスピーカを用い、通音用の穴を当該スピーカのコーン紙部分で覆い、リモートコントローラの内部を水密気密に保つようになっている。
【０００４】
【発明が解決しようとする課題】
図２は、一般的な構造を持つスピーカ２００の断面を示している。マグネット２１０による磁界の中で、音声信号に対応した電流をボイスコイル２２０に流すと、ボイスコイル２２０が電磁作用を受けて上下に振動する。これに伴って、当該ボイスコイル２２０と連結されたコーン紙２３０が上下に振動し、音を発するようになっている。かかる構造のスピーカが正常に音を出すためには、ボイスコイル２２０がマグネットの磁場内の正常位置にある必要がある。
【０００５】
ところで、リモートコントローラは密閉されているので、お湯がかかるなどして急激な温度変化を受けると、リモートコントローラの内圧が上昇し、スピーカのコーン紙の両側にかかる圧力に差が生じてコーン紙がニュートラルの位置からずれてしまう。その結果、スピーカから正常に音を発することができなかったり、音量が小さくなる等の問題が生じていた。またコーン紙の両側にかかる圧力差が大きくなると、コーン紙部が変形したり、コーン紙がポールピースから脱落する等によりスピーカが破損してしまう場合もあった。
【０００６】
本発明は、このような従来の技術が有する問題点に着目してなされたもので、密閉構造を保ちつつ急激な温度変化を受けても正常に音を発することのできるスピーカ内蔵の浴室機器を提供することを目的としている。
【０００７】
【課題を解決するための手段】
かかる目的を達成するための本発明の要旨とするところは、次の各項の発明に存する。
［１］スピーカ（１５０）を内蔵した浴室機器において、
少なくともスピーカ（１５０）を内蔵するための空間を有する密閉された本体ケース（１１０、１２０）に、通音用の第１穴部（１１１）を設け、当該第１穴部（１１１）を耐水性のコーン紙部（１５１）を備えたスピーカ（１５０）で覆って密閉するとともに、前記本体ケース（１１０、１２０）に第２穴部（１２１）を設け、当該第２穴部（１２１）を、その両面にかかる圧力差に応じて自在に変形する弾性変形する膜状部材（１７０、以下「ダイヤフラム状部材」ともいう）で密閉し、
前記弾性変形する膜状部材（１７０）として、前記スピーカ（１５０）のコーン紙部（１５１）がその両面にかかる圧力差によって変位を生じる圧力差よりも少ない圧力差で変形しかつ通気性のないものを用いる
ことを特徴とする浴室機器。
【０００８】
［２］前記弾性変形する膜状部材（１７０）を所定の空間を保って外部から密閉するように覆う保護カバー（１３０）を前記本体ケース（１１０、１２０）に装着するとともに、前記保護カバー（１３０）の所定箇所に通気孔（１３２）を設けた
ことを特徴とする［１］に記載の浴室機器。
【０００９】
［３］当該浴室機器は、浴室壁面に取り付けるものであり、
前記第２穴部（１２１）は前記本体ケース（１１０、１２０）の背面にあり、
少なくとも前記第２穴部（１２１）を内包するように前記本体ケース（１１０、１２０）の背面から略垂直に立設された環状周壁部（１２３）であって当該環状周壁部（１２３）の端部を浴室壁面と密着させて取り付けることによって前記弾性変形する膜状部材（１７０）と前記浴室壁面との間に密閉空間を形成するものを有し、
前記環状周壁部（１２３）に通気孔（１２４）を設けるとともに、当該通気孔（１２４）を前記環状周壁部（１２３）の端部と浴室壁面との隙間をシーラント（１１）で埋めた際に当該シーラント（１１）でふさがることのない距離だけ前記環状周壁部（１２３）の端部から前記本体ケース（１１０、１２０）の背面側へ離れた位置に設けた
ことを特徴とする［１］に記載の浴室機器。
【００１０】
［４］設置状態で下側になる箇所に前記通気孔を設けた
ことを特徴とする［２］または［３］に記載の浴室機器。
【００１１】
［５］前記浴室機器は、風呂釜を遠隔操作するためのリモートコントローラである
ことを特徴とする［１］〜［４］の何れかに記載の浴室機器。
【００１２】
前記本発明は次のように作用する。
風呂釜を遠隔操作するためのリモートコントローラ等の浴室機器において、通音用の第１穴部（１１１）のほかに本体ケース（１１０、１２０）に第２穴部（１２１）を設け、ここをその両面にかかる圧力差に応じて自在に変形するダイヤフラム状部材（１７０）で密閉するとともに、当該ダイヤフラム状部材（１７０）として、スピーカ（１５０）のコーン紙部（１５１）がその両面にかかる圧力差によって変位を生じる圧力差よりも少ない圧力差で変形しかつ通気性のないものを用いる。
【００１３】
これにより、急激に温度上昇して内部の気体が膨張しても、スピーカ（１５０）のコーン紙部（１５１）が変位する前にダイヤフラム状部材（１７０）が変形して本体ケース（１１０、１２０）内部の容量が増加するので、内圧の上昇が抑えられる。その結果、急激な温度変化を受けてもスピーカ（１５０）から正常に音を発することができるとともに、コーン紙部（１５１）の両側にかかる圧力差によってコーン紙部（１５１）が変形したり破損することが防止される。
【００１４】
ダイヤフラム状部材（１７０）を所定の空間を保って外部から密閉するように覆う保護カバー（１３０）を本体ケース（１１０、１２０）に装着し、これに通気孔（１３２）を設けたものでは、接触などによるダイヤフラム状部材（１７０）の損傷を防ぐことができる。たとえば、浴室用テレビやラジオなど、壁面に固定的に設置しないものにおいて当該保護カバー（１３０）を設けると良い。
【００１５】
浴室壁面に取り付けるタイプの浴室機器においては、第２穴部（１２１）およびダイヤフラム状部材（１７０）を本体ケース（１１０、１２０）の背面に設け（浴室壁面側）、少なくとも当該第２穴部（１２１）を内包するように本体ケース（１１０、１２０）の背面から略垂直に立設された環状周壁部（１２３）を設ける。そして当該環状周壁部（１２３）の端部を浴室壁面と密着させて取り付けることによってダイヤフラム状部材（１７０）と浴室壁面との間に密閉空間を形成し、さらに環状周壁部（１２３）に通気孔（１２４）を設ける。当該通気孔（１２４）を環状周壁部（１２３）の端部と浴室壁面との隙間をシーラント（１１）で埋めた際に当該シーラント（１１）でふさがることのない距離だけ環状周壁部（１２３）の端部から本体ケース（１１０、１２０）の背面側へ離れた位置に設ける。
【００１６】
これにより、浴室機器と浴室壁面との隙間をシリコンシーラント（１１）等で埋めた後も、確実に、通気孔の通気性を確保することができる。また、ダイヤフラム状部材（１７０）を本体ケース（１１０、１２０）の背面に設けたので、浴室機器を薄型に構成しても、ダイヤフラム状部材（１７０）としての必要な大きさを容易に確保することができる。
【００１７】
なお、設置状態で下側になる箇所に通気孔を設けたものでは、通気孔から水が入ったり、浸入した水蒸気が結露したりしても、水滴を自然に排出することができる。
【００１８】
【発明の実施の形態】
以下、本発明の一実施の形態を、図面を参照して説明する。
図１は、本発明にかかる浴室機器の一実施の形態としてのリモートコントローラ１００の断面を示している。当該リモートコントローラ１００は、浴室壁面に取り付けられるものであり、風呂釜を遠隔操作するための図示省略の操作部および表示部を備え、横長で薄い略箱型形状を成している。
【００１９】
リモートコントローラ１００の本体ケースは、リモコンケース上１１０と、リモコンケース下１２０と、ダイヤフラムカバー１３０とから構成される。リモコンケース上１１０とリモコンケース下１２０は、水密気密に接合され、内部に、各種の電気部品を実装した回路基板１４０やスピーカ１５０を納めるための内部空間１６０を形成している。回路基板１４０には、当該回路基板１４０を貫通する穴部１４１が、図１に示した切断面からずれた端部の所定箇所に開設されており、当該穴部１４１を通じて内部空間１６０は、回路基板１４１の表側と裏側とで連通している。
【００２０】
リモコンケース上１１０には、スピーカ１５０の発する音を外部に伝達するための通音穴１１１（第１穴部）がある。スピーカ１５０は、リモコンケース上１１０の内側から通音穴１１１をそのコーン紙部１５１で覆うように取り付けてある。またスピーカ１５０は、その周縁とリモコンケース上１１０の内面との間にスピーカパッキン１５２を挟んで取り付けてある。さらにスピーカ１５０のコーン紙部１５１は、プラスチックで構成されており、耐水性を有しかつ通気性を有していない。したがって、通音穴１１１は、スピーカ１５０およびスピーカパッキン１５２によって密閉されている。
【００２１】
リモコンケース下１２０は、中央部分に第２穴部１２１が開設されており、当該第２穴部１２１を覆い密閉するようにダイヤフラム状部材１７０が取り付けられている。ダイヤフラム状部材１７０は、第２穴部１２１よりもやや大きい外形をなしており、第２穴部１２１を覆うように外側からダイヤフラム状部材１７０をリモコンケース下１２０に載せたとき、ダイヤフラム状部材１７０の周縁がリモコンケース下１２０に引っかかるようになっている。
【００２２】
第２穴部１２１を覆うようにダイヤフラム状部材１７０を載せた後、さらにその外側からダイヤフラムカバー１３０でダイヤフラム状部材１７０の周縁部分を挟み込み固定する。このようにしてダイヤフラム状部材１７０を挿着した状態で、ダイヤフラムカバー１３０と、ダイヤフラム状部材１７０との間には、ダイヤフラム状部材１７０が外側へ自在に変形可能なように可動空間１３１が形成される。また、ダイヤフラム状部材１７０と回路基板１４０との間にも、ダイヤフラム状部材１７０が内側へ変形可能なように一定の空間を設けてある。ダイヤフラムカバー１３０には内部通気孔１３２が設けてある。
【００２３】
ダイヤフラム状部材１７０は、その両面にかかる圧力差によって容易に弾性変形し得るものである。ダイヤフラム状部材１７０としては、スピーカ１５０のコーン紙部１５１がその両面にかかる圧力差によって変位を生じる圧力差よりも少ない圧力差で変形しかつ通気性のないものを用いている。通音穴１１１をスピーカ１５０で覆って密閉し、かつ第２穴部１２１をダイヤフラム状部材１７０で密閉するので、内部空間１６０は、外気と遮断され密閉された空間になっている。
【００２４】
リモコンケース下１２０は、本体ケースの背面を成す背面部分１２２と当該背面部１２２の周縁から略垂直に立設された環状周壁部１２３とから構成される。環状周壁部１２３は、ダイヤフラム状部材１７０が自由に変形するための空間を浴室壁面１０との間に保持するための台座としての機能を果たし、リモートコントローラ１００は、環状周壁部１２３の端部を浴室壁面１０と密着させるようにして取り付けられる。
【００２５】
環状周壁部１２３には、通気孔１２４が設けてある。当該通気孔１２４は、環状周壁部１２３の端部と浴室壁面との隙間をシリコンシーラント１１等で埋めた際に当該シーラントでふさがることのない距離だけ環状周壁部１２３の端部から本体ケースの背面側へ離れた位置に設けてある。通常、シーラントは、作業者の指で塗って隙間を埋めるので、環状周壁部１２３の端部から５ミリ以上離れた箇所にあれば十分である。また通気孔１２４は、リモートコントローラ１００を浴室壁面１０に取り付けた際に下部側になる面に設けてある。可動空間１３１は、内部通気孔１３２および通気孔１２４を介して外部と連通している。
【００２６】
ダイヤフラム状部材１７０が変形することにより、内部空間１６０の容積が常温に比べて約１０パーセント増減し得るようになっている。これは、常温（リモートコントローラ組立時温度）を２０℃とし、リモートコントローラ１００に４８℃のお湯がかかった場合を想定すると、内部空間１６０の中の気体温度が約３０℃上昇する。このときの容積を１とすると、（２７３＋２０＋３０）／（２７３＋２０）＝１．１となり、約１０パーセント容積が増加することになるからである。また逆にリモコン内外を隔てる本願で言えばダイヤフラムに相当する部材に通気性の素材を用いたときに問題となる内部空間の体積減少（たとえば、浴室が湿度１００パーセントのまま温度が下がり、リモートコントローラ内に浴室の空気が入り込もうとする状況）時でも、浴室が０℃まで下がってもダイヤフラム状部材１７０が変形することで内部結露を防止できる。
【００２７】
次に作用について説明する。
浴室温度とリモートコントローラ１００の内部空間１６０との温度差がない状態では、コーン紙部１５１に内部空間１６０側から加わる圧力と浴室側から加わる圧力がほぼ等しいので、コーン紙部１５１は、無音状態では、設計上のニュートラル位置にある。したがって、正常な音を発することができる。
【００２８】
リモートコントローラ１００に５０℃程度のお湯がかかったような場合には、内部空間１６０の中の空気が熱膨張する。これに伴って内部空間１６０内の圧力は高まろうとするが、ダイヤフラム状部材１７０が変形して内部空間１６０の容積を増加させるので、内圧の上昇が抑制される。ダイヤフラム状部材１７０は、スピーカ１５０のコーン紙部１５１が内外の圧力差によって変位するよりも少ない圧力差で変形するように構成されているので、内部空間１６０にある気体が１０パーセント以上熱膨張するまでは、コーン紙部１５１は変位せず、正常に音を発することができるとともに、変形や破損も生じない。また浴室内の温度が下がっても同様に問題は発生しない。特に、リモートコントローラ１００のように薄型（たとえば厚さ２ｃｍ）の場合等、スピーカのボイスコイルとマグネットとのラップしろが少ないので有効である。
【００２９】
このほか、通気孔１２４の位置を環状周壁部１２３の端部から必要量離した箇所に設けたので、リモートコントローラ１００を浴室壁面１０へ取り付けた際にシーラントで隙間をふさいでも、環状周壁部１２３が当該シーラントで埋まることがなく、可動空間１３１と外部との通気性を確保することができる。
【００３０】
以上説明した実施の形態では、内部空間１６０の容積が常温に比べて１０パーセント変化し得るようにダイヤフラム状部材１７０の大きさ等を設定したが、浴室で使用する湯の温度と浴室内の気温との差の想定最大値に応じてダイヤフラム状部材１７０の大きさ等は適宜設定される。またダイヤフラム状部材１７０は、ゴム等の材質が望ましいが、例えばポリ塩化ビニリデン等の伸縮しにくい材質でも圧力がかかった時に応動可能に折りたたんだものであってもかまわない。また薄いゴム等をたくならせて少ない圧力で応動可能にしてもかまわない。なおスピーカ１５０の耐水性コーン紙部１５１は、紙である必要はなく、薄いフィルム上のプラスチック素材でできていてもかまわない。
【００３１】
また実施の形態では、風呂給湯器のリモートコントローラを例に説明したが、浴室用のテレビやラジオなど、密閉を必要としかつスピーカを内蔵する浴室機器であればよい。また浴室機器は、浴室壁面に取り付けるものに限らない。また実施の形態では、通気孔１２４をリモートコントローラ１００の下部側に設けたが、側部等であってもよい。
【００３２】
【発明の効果】
本発明にかかるスピーカを内蔵した浴室機器によれば、通音用の第１穴部のほかに本体ケースに第２穴部を設け、ここをその両面にかかる圧力差に応じて自在に変形するダイヤフラム状部材で密閉するとともに、当該ダイヤフラム状部材として、スピーカのコーン紙部がその両面にかかる圧力差によって変位を生じる圧力差よりも少ない圧力差で変形しかつ通気性のないものを用いるので、急激に温度上昇して内部の気体が膨張しても、スピーカのコーン紙部が変位する前にダイヤフラム状部材が変形して本体ケース内部の容量が増加するので、内圧の上昇が抑えられ、スピーカから正常に音を発することができるとともに、コーン紙部の変形や破損が防止される。
【００３３】
また、ダイヤフラム状部材を所定の空間を保って外部から密閉するように覆う保護カバーを本体ケースに装着し、これに通気孔を設けたものでは、接触などによるダイヤフラム状部材の損傷を防ぐことができる。さらに浴室壁面に取り付けるタイプの浴室機器においては、通気孔を浴室壁面と接触する箇所から所定距離離した箇所に設けるので、浴室機器と浴室壁面との隙間をシーラントで埋めた後も、確実に通気孔の通気性を確保することができる。また、ダイヤフラム状部材を本体ケースの背面に設けたので、浴室機器を薄型に構成しても、ダイヤフラム状部材としての必要な大きさを容易に確保することができる。
【００３４】
このほか設置状態で下側になる箇所に通気孔を設けたものでは、通気孔から水が入ったり、浸入した水蒸気が結露したりしても、水滴を自然に排出することができる。
【図面の簡単な説明】
【図１】本発明の一実施の形態にかかるリモートコントローラを示す断面図である。
【図２】一般的なスピーカの構成を示す断面図である。
【符号の説明】
１０…浴室壁面
１１…シーラント
１００…リモートコントローラ
１１０…リモコンケース上
１１１…通音穴
１２０…リモコンケース下
１２１…第２穴部
１２２…背面部分
１２３…環状周壁部
１２４…通気孔
１３０…ダイヤフラムカバー
１３１…可動空間
１３２…内部通気孔
１４０…回路基板
１４１…穴部
１５０…スピーカ
１５１…コーン紙部
１５２…スピーカパッキン
１６０…内部空間
１７０…ダイヤフラム状部材
【図１】
0003878435.tif 000002
【図２】
0003878435.tif 000003